【事件の表示】
　特許第３２２６５２０号「写真シール自動販売方法および写真シール自動販売機」の請求項１乃至４に係る特許に対する特許異議の申立てについて、次のとおり決定する。
【結　論】
　訂正を認める。
　特許第３２２６５２０号の請求項１乃至４に係る特許を取り消す。
【理　由】
１．手続の経緯
　本件特許第３２２６５２０号の請求項１乃至４に係る発明についての出願は、平成１２年７月１７日に特許出願され（優先権主張　平成１２年３月２１日）、平成１３年８月３１日にそれらの発明について特許の設定登録がなされ、その後、その特許について、山口知子、井上容子及び重富與八郎より特許異議申立てがなされ、これを受けて平成１４年７月５日付けで取消理由が通知され、その指定期間内である平成１４年９月１７日に訂正請求書が提出された。
　一方、本件特許について平成１４年６月２６日に無効審判請求（無効２００２−３５２７２）がなされ、それにともない、本件異議申立事件は平成１５年２月１８日付けで手続中止通知書が通知されたが、その後、前記無効審判請求は取り下げられ、平成１７年１０月３１日付けで手続中止解除通知書が通知されたものである。
　
２．訂正事項及び訂正の適否
（１）訂正事項
　特許明細書の段落【００２０】及び【００２１】を削除する。
　
（２）訂正の適否、新規事項の有無及び拡張・変更の存否
　上記訂正事項は、特許明細書の段落【００２０】及び【００２１】に記載された「陰の方向と位置」の記載について、「方向と位置」の意味が不明瞭なので、明りょうでない記載の釈明を目的として、段落【００２０】及び【００２１】を削除するものである。
　また、上記訂正事項は、願書に添付した明細書又は図面に記載した事項の範囲内の訂正であり、実質上特許請求の範囲を拡張し又は変更するものではない。
　
（３）むすび
　したがって、上記訂正は、特許法第１２０条の４第２項及び第３項で準用する第１２６条第２項及び第３項に適合するので、当該訂正を認める。
　
３．特許異議申立について
（１）本件発明
　上記２．で示したように上記訂正は認められるから、本件特許の請求項１乃至４に係る発明（以下、「本件発明１」乃至「本件発明４」という。）は、本件訂正後の特許明細書の特許請求の範囲の請求項１乃至４に記載された次のとおりのものである。
「【請求項１】投入貨幣を処理する貨幣処理手段と、撮像や画像編集その他必要な操作を入力する入力手段と、被写体を連続して照明する連続照明手段と、プリント画像の撮像に同期して被写体をストロボ発光して照明するストロボ照明手段と、被写体を撮像するカメラと、撮像画像や編集画像その他必要事項を表示する表示手段と、撮像画像や編集画像の写真シールをプリントして放出するプリンタと、これら構成要素を制御する制御手段とを備え、
　前記カメラの左右位置に前記ストロボ照明手段と連続照明手段との夫々を並設した状態で配置し、前記貨幣処理手段への貨幣投入に基づいてプレイ操作を許容し、カメラの左右に配置した連続照明手段の照光によって前記表示手段に撮像ポーズを表示すると共に撮像ポーズの確認を可能とし、連続照明手段とストロボ照明手段とで被写体を照光してカメラで撮像した後、前記表示手段に撮像画像を表示し、撮像後前記表示手段に表示された画像に画像編集を許容し、画像確定後プリンタで写真シールをプリントして放出する写真シール自動販売方法。
【請求項２】投入貨幣を処理する貨幣処理手段と、撮像や画像編集その他必要な操作を入力する入力手段と、被写体を連続して照明する連続照明手段と、プリント画像の撮像に同期して被写体をストロボ発光して照明するストロボ照明手段と、被写体を撮像するカメラと、撮像画像や画像編集その他必要事項を表示する表示手段と、撮像画像や編集画像の写真シールをプリントして放出するプリンタと、これら構成要素を制御する制御手段とを備え、
　前記カメラの左右位置に前記ストロボ照明手段と連続照明手段との夫々を並設した状態で配置し、前記貨幣処理手段への貨幣投入に基づいてプレイ操作を許容し、カメラの左右に配置した連続照明手段の照光によって前記表示手段に撮像ポーズを表示すると共に撮像ポーズの確認を可能とし、連続照明手段とストロボ照明手段とで被写体を照光してカメラで撮像した後、前記表示手段に撮像画像を表示し、撮像後前記表示手段に表示された画像に画像編集を許容し、画像確定後プリンタで写真シールをプリントして放出すべく前記制御手段を設定した写真シール自動販売機。
【請求項３】前記ストロボ照明手段を、縦長のボックス状の箱体内に収納したストロボ照明装置と、該装置のストロボ発光を撮像領域側に反射する反射板と、ストロボ発光を撮像領域側に拡散する拡散板とで撮像領域側を照明する縦長のストロボ照明ボックス体に形成した請求項１または２に記載の写真シール自動販売方法または写真シール自動販売機。
【請求項４】前記左右のストロボ照明ボックス体の照明光の一部が撮像領域で重合するように照明光の方向を設定した請求項３に記載の写真シール自動販売方法または写真シール自動販売機。」
　
（２）取消理由通知の概要
　平成１４年７月５日付け取消理由通知書の概要は以下のとおりである。
Ａ．本件出願の下記の請求項に係る発明は、その出願前日本国内または外国において頒布された下記の刊行物に記載された発明であるから、特許法第２９条第１項第３号に該当し、特許を受けることができない。 
Ｂ．本件出願の下記の請求項に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
   　　　　　　　　　　　　記 
Ａ．特許法第２９条第１項違反について 
 刊行物ａ：特願２０００−７７９５９号の出願書類（異議申立人井上容子が提出した甲第１５号証） 
 刊行物ｂ：本件特許の出願書類（同甲第１６号証） 
 刊行物ｃ：本件の出願経過で提出された手続補正書・意見書 （同甲第１７号証）
 刊行物ｄ：月刊コインジャーナル５月号（平成１２年４月３０日発行）掲載広告「フラッシュショット」（同甲第１８号証） 
 刊行物ｅ：月刊コインジャーナル６月号（平成１２年５月３０日発行）掲載広告「フラッシュショット」（同甲第１９号証） 
 刊行物ｆ：オムロン株式会社コロンブス事業部ホームページのコピー （同甲第２０号証）
 ＜請求項１〜４に係る発明について＞ 
 　異議申立人井上容子の提出した異議申立書第２２〜２５頁に記載のとおりである。 
 
Ｂ．特許法第２９条第２項違反について  
 刊行物１：特許第３０００５２７号公報（異議申立人山口知子が提出した甲第１号証） 
 刊行物２：特表平４−５０６２６４号公報（異議申立人重富與八郎が提出した甲第１号証） 
 刊行物３：実用新案登録第３０６７４８６号公報 （異議申立人井上容子が提出した甲第１号証）
 刊行物４：特開平７−２９８１２３号公報 （異議申立人山口知子が提出した甲第３号証）
 刊行物５：特開平１０−２０３７０号公報 （同甲第４号証）
 刊行物６：特開平１０−４８７０５号公報 （異議申立人山口知子が提出した甲第５号証、異議申立人井上容子が提出した甲第８号証、異議申立人重富與八郎が提出した甲第３号証）
 刊行物７：特許第２８２９９５１号公報 （異議申立人山口知子が提出した甲第６号証）
 刊行物８：特開平１１−１１０６３６号公報 （異議申立人重富與八郎が提出した甲第２号証）
 刊行物９：実用新案登録第３０６０８９６号公報 （同甲第４号証）
 刊行物１０：特開２０００−６９４０４号公報（異議申立人井上容子が提出した甲第５号証、異議申立人重富與八郎が提出した甲第５号証） 
 刊行物１１：実願昭５８−６８５１号（実開昭５９−１１４５５６号）のマイクロフイルム （異議申立人井上容子が提出した甲第３号証、異議申立人重富與八郎が提出した甲第６号証）
 刊行物１２：株式会社日本カメラ社発行「写真用語辞典」第４３１頁最下段のモデリングランプ（異議申立人重富與八郎が提出した甲第７号証） 
 刊行物１３：株式会社日本カメラ社発行「ストロボ撮影の達人」第１６８頁中段のモデリングライト（同甲第８号証） 
 刊行物１４：日刊工業新聞１９９８年１０月１６日記事「証明用にも使用可能　シール写真自販機発売」（同甲第１０号証） 
 刊行物１５：日刊工業新聞１９９８年１２月４日記事「デジカメ対応のプリントシステム」（同甲第１１号証） 
 刊行物１６：日刊工業新聞２０００年２月２１日記事「アイコンで簡単操作　証明写真用プリントシステム」（同甲第１２号証） 
 刊行物１７：株式会社幻光社発行「図解ファッションフォト・ライテイング」第６７頁の下段の説明記事（同甲第１３号証） 
 刊行物１８：特表平１０−５０３３４３号公報 （異議申立人井上容子が提出した甲第２号証）
 刊行物１９：特開平１１−１６０７８５号公報 （同甲第４号証）
 刊行物２０：実用新案登録第３０５５８３６号公報（同甲第６号証）
 刊行物２１：実用新案登録第３０６２１９５号公報（同甲第７号証） 
 刊行物２２：特開平９−２８８２９６号公報（同甲第９号証） 
 刊行物２３：特開平１０−１４２６５５号公報（同甲第１０号証） 
 刊行物２４：実願昭５５−１２１７９８号（実開昭５７−４５６３１号）のマイクロフイルム（同甲第１１号証） 
 刊行物２５：特開平６−２８９４６１号公報（同甲第１２号証） 
 刊行物２６：特開平１０−２５７５１８号公報（同甲第１３号証） 
 刊行物２７：特開昭５９−１８７３２６号公報（同甲第１４号証） 
 ＜請求項１〜４に係る発明について＞ 
 　請求項１〜４に係る発明と、刊行物１、２、又は３に記載された発明とを対比すると、細部の構成が相違するが、そのようなことは刊行物１〜２７に開示されている。 
　　
３．当審の判断
（１）刊行物等に記載の事項
［刊行物１］
　平成１２年１月２７日に頒布された刊行物１（特許第３０００５２７号）には、以下の事項が記載されている。
（ａ１）「【００１７】図示したものは、ハーフミラー８を介して表示されるディスプレイ１２の画像情報に加え、座標入力装置付き液晶モニター４からも、前記ディスプレイ１２と同一の画像情報が表示できる、いわゆるツインモニター方式の画像プリント供給装置であり、データを書き込むための入力ペン６のほか、コイン投入部５、照明７などが筐体２の外部に、また、ＰＣ（パーソナルコンピュータ）１４、プリンタ１３、コインセレクター（図示しない）などが、前記したハーフミラー８、撮影機９、ディスプレイ１２などと共に筐体２の内部に設けられている。」（第３頁左欄段落【００１７】） 
（ａ２）「【００２９】先ず、コイン投入部５に所定のコインを投入して、画像プリント供給装置の装置本体１を利用可能な状態にする。次に、座標入力装置付き液晶モニター４に表示された各種モードの中から、「全身モードオペレーション」の項目を備え付けの入力ペン６を用いて選択する。」（第４頁左欄段落【００２９】） 
（ａ３）「【００３０】続いて、所望とする印刷の方向（縦横）とフレーム及び背景を選択すると、表情やポーズを決定するため、被写体たる利用者は装置本体１から離れ、全身撮影に適した図７のポジション（ｂ）付近まで後退する。その際、遠隔操作手段２６を備えており、離れたポジションからでも様々な指示制御ができるため、これを持って移動することで、所望のポジションに居ながらにして、装置本体１に各種指示を与えることができる。通常、全身撮影に適したポジションは、筐体２から延出したアーム１０の先端から吊り下げられた力ーテン１１に最も寄った位置となる。」（第４頁左欄段落【００３０】） 
（ａ４）「【００３１】次いで、画面３をモニターしながら、遠隔操作手段２６を用いて、基台１７を図７の（ロ）付近の部位まで移動させると共に、撮影機９が保持される支持具１５を自己の全身が写し出されるまで回転させ、更に、画像の大小をズーム調整することになる。なお、基台１７の移動の際、それを載置し案内する案内片２５が設けてあるため、基台１７は案内片２５上をスムース且つ安定的に移動することができる。また、被写体の撮影とその画像情報の表示をハーフミラー８を介して行うため、被写体となる利用者は常に画面３をモニターしながら、好みの表情やポーズを決定することができる。」（第４頁左欄段落【００３１】） 
（ａ５）「【００３２】かくして、所望とする全身画像が写し出されるよう撮影機９の部位を調整し終えたら、遠隔操作手段２６を用いて撮影を行う。次いで、撮影された画像が画面３に表示されるので、それが気に入った場合は「確定」を選択することで次の作業に移行するが、若し、気に入らなければ、「キャンセル」を選択することで図６（Ｂ）中の「カメラ遠隔操作」の前段階に戻り、再度、撮影機９の部位を調整して撮影し直すことになる。」（第４頁左欄段落【００３２】） 
（ａ６）「【００３３】撮影された画像が気に入り、「確定」を選択した場合は、被写体たる利用者は装置本体１まで戻り、座標入力装置付き液晶モニター４上で入力ペン６によって所望とするメッセージや力ラーを選択し、且つ、好みの文字や図形等を書き込むことで、全ての工程が終了し、しばらくして所望とする画像プリントが供給されることになる。」（第４頁左欄段落【００３３】） 
（ａ７）照明７が画面３の両側と上に設けられた配置。（図１） 
（ａ８）「シール印刷」との表示。（図６（Ａ）） 
　
　上記（ａ１）〜（ａ８）の記載からみて、刊行物１には、以下の発明が記載されている。
「 投入貨幣を処理する貨幣処理手段と、撮像や画像編集その他必要な操作を入力する入力ペン６及び遠隔操作手段２６と、被写体を照明する照明手段と、被写体を撮像する撮影機９と、撮像画像や編集画像その他必要事項を表示する画面３と、撮像画像や編集画像の写真シールをプリントして放出するプリンタ１３と、これら構成要素を制御手段とを備え、前記撮影機９の左右位置に照明手段を配置し、前記貨幣処理手段への貨幣投入に基づいてプレイ操作を許容し、撮影機９の左右に配置した照明手段の照光によって前記画面３に撮像ポーズを表示すると共に撮像ポーズの確認を可能とし、照明手段で被写体を照光して撮影機９で撮像した後、前記画面３に撮像画像を表示し、撮像後前記画面３に表示された画像に画像編集を許容し、画像確定後プリンタ１３で写真シールをプリントして放出する写真シール自動販売方法」および「投入貨幣を処理する貨幣処理手段と、撮像や画像編集その他必要な操作を入力する入力ペン６及び遠隔操作手段２６と、被写体を照明する照明手段と、被写体を撮像する撮影機９と、撮像画像や画像編集その他必要事項を表示する画面３と、撮像画像や編集画像の写真シールをプリントして放出するプリンタ１３と、これら構成要素を制御するＰＣ（パーソナルコンピュータ）１４とを備え、前記撮影機９の左右位置に、照明手段を配置し、前記貨幣処理手段への貨幣投入に基づいてプレイ操作を許容し、撮影機９の左右に配置した照明の照光によって前記画面３に撮像ポーズを表示すると共に撮像ポーズの確認を可能とし、照明手段で被写体を照光して撮影機９で撮像した後、前記画面３に撮像画像を表示し、撮像後前記画面３に表示された画像に画像編集を許容し、画像確定後プリンタ１３で写真シールをプリントして放出すべく前記ＰＣ（パーソナルコンピュータ）１４を設定した写真シール自動販売機。」 
　
［刊行物４］
　刊行物４（特開平７−２９８１２３号公報）には、以下の事項が記載されている。 
（ｂ１）「【００２０】図１は、この実施例の構成および構造を示す側面図であり、この図の１は被撮影者１００が座るベンチ、２はベンチ１に座った被撮影者１００の主に顔面部の映像を受像するビデオカメラ、３は各種処理を行うコンピュータ、４は画像を表示するＣＲＴ（ディスプレイ）、５はビデオカメラ２の受像に影響を与えずにＣＲＴ４の表示映像を被撮影者に対して反射するハーフミラー、６はビデオカメラ２の位置調整などを行う操作部、７は映像をカラー印刷するプリンタ、７ａはプリンタ７から出力される印刷結果、８は撮影用の照明装置、９は室内照明、１１は投入される貨幣を識別し、収納する料金ボックスである。この料金ボックス１１は必要により設置されるものである。」（第３頁右欄段落【００２０】） 
（ｂ２）「【００３６】また、このとき、通常点灯している室内照明９（図１参照）が消され、照明装置８が点灯する。被撮影者は選択した背景画に対応して、この照明装置の色、光度を調整することができる。」（第４頁右欄段落【００３６】） 
（ｂ３）「【００３７】被撮影者は、さらに、上述したハーフミラー５に映し出されるＣＲＴ４の表示を見つつ、顔枠とその顔枠内に表示される自分の顔の位置およびサイズが一致するように、ジョイスティックレバー６ａ（図５参照）および映像ズーミングレバー６ｂを操作し、調整する（ステップＳＰ７）。また、好みにより被撮影者を斜めから見た顔画像を映すこともでき、例えばジョイスティックレバー６ａを右側に倒すと、ビデオカメラ２（図４参照）が被撮影者１００を中心として右方向に移動する。なお、この場合でも、被撮影者は移動することなく、ハーフミラー５を正視しつつ操作を行うことができる。」（第４頁右欄段落【００３７】） 
（ｂ４）「【００３８】そして、ステップＳＰ８において操作終了か否か、つまり確認スイッチ６ｃが押されたか否かを調べ、このスイッチが押された場合には次のステップＳＰ９へ進み、押されない場合には上記ステップＳＰ７の処理を繰り返す。」（第４頁右欄段落【００３８】）
（ｂ５）「【００４４】また、この実施例は、観光地の記念撮影に限定されるものでなく、例えばゲームセンターなどに設置して記録達成記念用として用いたり、特定の証明書あるいは証明写真として利用してもよい。」（第５頁左欄段落【００４４】） 
（ｂ６）「照明装置８がハーフミラー５の左右に設けられた配置」（図８） 
　
［刊行物５］
　刊行物５（特開平１０−２０３７０号公報）には、以下の事項が記載されている。 
（ｃ１）「各ライト５〜８は、図４にその横断面を示すように、ストロボ用のキセノン管１１とモデリングランプ１２とを円筒面の一部に開口部１３ａを形成した円筒状のカバー１３内に収納したバーライト１０を光源部としている。」（第３頁左欄第２３〜２７行） 
（ｃ２）「その他のサブサイドライト７及びフットライト８は、図６にその断面形状を示すように、バーライト１０の開口部１３ａ側に乳白色の樹脂板からなるほぼ円筒状の拡散板１８を配設したものである。」（第３頁左欄第４４〜４７行） 
（ｃ３）「左右両側に同一の一対のサイドライトを設け、コントローラ部によりそれぞれの明るさを変更することも可能である。」（第３頁左欄第３９〜４１行） 
（ｃ４）「そして、各ライトがいずれも同一のバーライトを有するようにすると、光源部の種類を増やすことなくその付属部品を取り換えるだけで各種の照明効果を得ることができ、バーライトの開口部、キセノン管、モデリングランプをほぼ同一直線上に配設することにより、両光源が被写体を同一位置から照射することができて好都合である。」（第４頁左欄段落【００２７】） 
　
［刊行物６］
　刊行物６（特開平１０−４８７０５号公報）には、以下の事項が記載されている。 
（ｄ１）「光源は、銀塩写真の場合は、ストロボとモデリングライトを対にした光源が望ましい。また、デジタルカメラの場合は、ハロゲンランプ等を使用する。」（第３頁左欄第１３〜１６行） 
（ｄ２）「【００１１】第１サイド光源１、２は、第１サイド光源室１１、１２の前方に設けられた断面略円弧状の反射板２５、２５’に光を反射させて、拡散板２６、２６’で光を拡散させて椅子１９に座っている人の上半身にサイド前方から光を当てるようにしてある。拡散板２６、２６’は第１サイド光源室１１、１２を仕切る仕切壁２７、２７’の開口部に取り付けられている。 
 【００１２】第２サイド光源４、５は、第２サイド光源室の前方に設けられた反射板２８、２８’及び側方に設けられた反射板２９、２９’に光を反射させ、拡散板３０、３０’で光を拡散させて椅子１９に座っている人の上半身にサイドから光を当てるようにしてある。・・・ 
 【００１３】第３サイド光源６、７は、第３サイド光源室の中央部やや上方に設けられた凹面を有する反射板３２、３２’に光を反射させ、拡散板３３、３３’で光を拡散させて、椅子に座っている人の上半身にサイドやや後方から光を当てるようにしてある。」（第３頁左欄第１７〜３５行） 
（ｄ３）「プッシュスイッチを押すと、対応するモデリングライトが点灯する。」（第３頁右欄第４５〜４７行） 
（ｄ４）「図２の例では足元に設置された足踏みスイッチ３８を踏み込むと、カメラのシャッターを切られると同時に、プッシュスイッチが押されているストロボが発光し、選択したライティング見本に近い写真が撮影できる。」（第４頁左欄第５〜９行）
　
［刊行物７］ 
　刊行物７（特許第２８２９９５１号公報）には、以下の事項が記載されている。 
（ｅ１）「各固体発光素子１７は、他の固体発光素子の光照射で生ずる被撮像物体１の影を打ち消して消失するような配列方法で配設されるもので、図示例では撮像装置３の光軸を中心とする仮想円１に沿ってリング状かつ密に配列されている。なお固体発光素子１７の配列方法は、これに限らず、均一照明を実現できる配列、すなわち被撮像物体１の影を発生させないような配列であれば、いかなる配列方法であってもよい。」（第３頁左欄第１６〜２４行） 
（ｅ２）「第４図は、第２、３図に示すストロボ発光部５による光照射面１８の照度分布１９を示している。図中、１７ａ、１７ｂは撮像装置３の光軸に対し対角位置にある固体発光素子であって、前記照度分布１９は各固体発光素子１７ａ、１７ｂによる照度分布２０ａ、２０ｂを合成した形となる。同図によれば、各固体発光素子１７ａ、１７ｂをある高さｈに位置させたときの照度分布１９は中央部分において平坦な形状、すなわち均一照明状態となっている。」（第３頁左欄第３１〜３８行） 
　　
（２）対比・判断（特許法第２９条第２項違反について）
［本件発明１について］　
ア．本件発明１と刊行物１に記載の発明との対比
 .本件発明１と刊行物１に開示された発明とを対比すると、後者の「入力ペン６、遠隔操作手段２６」、「画面３」、「撮影機９」、「プリンタ１３」、「ＰＣ（パーソナルコンピュータ）１４」は、夫々前者の「入力手段」、「表示手段」、「カメラ」、「プリンタ」、「制御手段」に相当する。 
 そうすると、本件発明１と刊行物１に記載の発明は、「投入貨幣を処理する貨幣処理手段と、撮像や画像編集その他必要な操作を入力する入力手段と、被写体を照明する照明手段と、被写体を撮像するカメラと、撮像画像や編集画像その他必要事項を表示する表示手段と、撮像画像や編集画像の写真シールをプリントして放出するプリンタと、これら構成要素を制御する制御手段とを備え、前記カメラの左右位置に、前記照明手段を配置し、前記貨幣処理手段への貨幣投入に基づいてプレイ操作を許容し、カメラの左右に配置した照明手段の照光によって前記表示手段に撮像ポーズを表示すると共に撮像ポーズの確認を可能とし、照明手段で被写体を照光してカメラで撮像した後、前記表示手段に撮像画像を表示し、撮像後前記表示手段に表示された画像に画像編集を許容し、画像確定後プリンタで写真シールをプリントして放出する写真シール自動販売方法。」である点で一致し、次の点で相違すると認められる。 
相違点１；
.　本件発明１は、プリント画像の撮像に同期して被写体をストロボ発光して照明するストロボ照明手段を有するのに対して、刊行物１に記載の発明は、そのような記載がない点。
相違点２；
.　本件発明１は、ストロボ照明手段と連続照明手段とを並設したのに対して、刊行物１に記載の発明は、そのような記載がない点。 
相違点３；
.　本件発明１は、連続照明手段とストロボ照明手段とで被写体を照光してカメラで撮像したのに対して、刊行物１に記載の発明は、そのような記載がない点。 
イ．相違点の検討
相違点１について；
　 刊行物５の（ｃ１）の「ストロボ用のキセノン管１１」との記載、刊行物６の（ｄ１）に「ストロボ」との記載に例示されているように、写真撮影（撮像）時の照明手段としてストロボ照明手段を用いることは常套手段であり、また、画像の撮像に同期して被写体をストロボ発光して照明することもストロボ照明手段が有する当然の機能であるから、相違点１の構成は従来周知の技術手段に過ぎない。
相違点２について；
　 刊行物５の（ｃ１）に「各ライト５〜８は、図４にその横断面を示すように、ストロボ用のキセノン管１１とモデリングランプ１２とを円筒面の一部に開口部１３ａを形成した円筒状のカバー１３内に収納したバーライト１０を光源部としている。」と記載され、刊行物５の（ｃ３）に「左右両側に同一の一対のサイドライトを設け」と記載され、刊行物６の（ｄ１）に「光源は、銀塩写真の場合は、ストロボとモデリングライトを対にした光源が望ましい。」と記載されているように、上記相違点２の構成は従来周知の技術手段に過ぎない。
相違点３について；
　 一般に、被写体撮影時に連続照明とストロボ照明とをどのように組み合わせて用いるかというようなことは、当業者が適宜決定できる設計的な事項にすぎない。 
 　また、刊行物６の（ｄ３）の「プッシュスイッチを押すと、対応するモデリングライトが点灯する。」との記載、及び刊行物６の（ｄ４）の「図２の例では足元に設置された足踏みスイッチ３８を踏み込むと、カメラのシャッターを切られると同時に、プッシュスイッチが押されているストロボが発光し、選択したライティング見本に近い写真が撮影できる。」との記載から、モデリングライトとストロボとで発光したことが刊行物６に開示されている。 
 　そして刊行物１と刊行物６とは、非常に近接した技術分野に属するものであるから、当業者であれば、刊行物６に開示された事項を刊行物１に適用することは容易であると言え、また、当該適用によって格別顕著な作用効果が生ずるものでもない
ウ．まとめ
　よって、本件発明１は、刊行物１、刊行物６及び従来周知技術に基づいて当業者が容易に発明をすることができたものであるから、特許法第２９条第２項の規定により特許を受けることができない。
　
［本件発明２について］
ア．本件発明２と刊行物１に記載の発明との対比
 .本件発明２と刊行物１に開示された発明とを対比すると、後者の「入力ペン６、遠隔操作手段２６」、「画面３」、「撮影機９」、「プリンタ１３」、「ＰＣ（パーソナルコンピュータ）１４」は、夫々前者の「入力手段」、「表示手段」、「カメラ」、「プリンタ」、「制御手段」に相当する。 
 そうすると、本件発明１と刊行物１に記載の発明は、「投入貨幣を処理する貨幣処理手段と、撮像や画像編集その他必要な操作を入力する入力手段と、被写体を照明する照明手段と、被写体を撮像するカメラと、撮像画像や編集画像その他必要事項を表示する表示手段と、撮像画像や編集画像の写真シールをプリントして放出するプリンタと、これら構成要素を制御する制御手段とを備え、前記カメラの左右位置に、前記照明手段を配置し、前記貨幣処理手段への貨幣投入に基づいてプレイ操作を許容し、カメラの左右に配置した照明手段の照光によって前記表示手段に撮像ポーズを表示すると共に撮像ポーズの確認を可能とし、照明手段で被写体を照光してカメラで撮像した後、前記表示手段に撮像画像を表示し、撮像後前記表示手段に表示された画像に画像編集を許容し、画像確定後プリンタで写真シールをプリントして放出すべく前記制御装置を設定した写真シール自動販売機。」である点で一致し、次の点で相違すると認められる。 
相違点１；
.　本件発明２は、プリント画像の撮像に同期して被写体をストロボ発光して照明するストロボ照明手段を有するのに対して、刊行物１に記載の発明は、そのような記載がない点。
相違点２；
.　本件発明２は、ストロボ照明手段と連続照明手段とを並設したのに対して、刊行物１に記載の発明は、そのような記載がない点。 
相違点３；
.　本件発明２は、連続照明手段とストロボ照明手段とで被写体を照光してカメラで撮像したのに対して、刊行物１に記載の発明は、そのような記載がない点。 
イ．相違点の検討
相違点１について；
　刊行物５の（ｃ１）の「ストロボ用のキセノン管１１」との記載、刊行物６の（ｄ１）に「ストロボ」との記載に例示されているように、写真撮影（撮像）時の照明手段としてストロボ照明手段を用いることは常套手段であり、また、画像の撮像に同期して被写体をストロボ発光して照明することもストロボ照明手段が有する当然の機能であるから、相違点１の構成は従来周知の技術手段に過ぎない。
相違点２について；
　 刊行物５の（ｃ１）に「各ライト５〜８は、図４にその横断面を示すように、ストロボ用のキセノン管１１とモデリングランプ１２とを円筒面の一部に開口部１３ａを形成した円筒状のカバー１３内に収納したバーライト１０を光源部としている。」と記載され、刊行物５の（ｃ３）に「左右両側に同一の一対のサイドライトを設け」と記載され、刊行物６の（ｄ１）に「光源は、銀塩写真の場合は、ストロボとモデリングライトを対にした光源が望ましい。」と記載されているように、上記相違点２の構成は従来周知の技術手段に過ぎない。
相違点３について；
　 一般に、被写体撮影時に連続照明とストロボ照明とをどのように組み合わせて用いるかというようなことは、当業者が適宜決定できる設計的な事項にすぎない。 
 　また、刊行物６の（ｄ３）の「プッシュスイッチを押すと、対応するモデリングライトが点灯する。」との記載、及び刊行物６の（ｄ４）の「図２の例では足元に設置された足踏みスイッチ３８を踏み込むと、カメラのシャッターを切られると同時に、プッシュスイッチが押されているストロボが発光し、選択したライティング見本に近い写真が撮影できる。」との記載から、モデリングライトとストロボとで発光したことが刊行物６に開示されている。 
 　そして刊行物１と刊行物６とは、非常に近接した技術分野に属するものであるから、当業者であれば、刊行物６に開示された事項を刊行物１に適用することは容易であると言え、また、当該適用によって格別顕著な作用効果が生ずるものでもない
ウ．まとめ
　よって、本件発明１は、刊行物１、刊行物６及び従来周知技術に基づいて当業者が容易に発明をすることができたものであるから、特許法第２９条第２項の規定により特許を受けることができない。
ウ．まとめ
　よって、本件発明２は、刊行物１、刊行物６及び従来周知技術に基づいて当業者が容易に発明をすることができたものであるから、特許法第２９条第２項の規定により特許を受けることができない。
　
［本件発明３について］
　 本件発明３は、本件発明１または２のストロボ照明手段を、「縦長のボックス状の箱体内に収納したストロボ照明装置と、該装置のストロボ発光を撮像領域側に反射する反射板と、ストロボ発光を撮像領域側に拡散する拡散板とで撮像領域側を照明する縦長のストロボ照明ボックス体に形成した」と限定したものであるが、刊行物５の（ｃ１）に「各ライト５〜８は、図４にその横断面を示すように、ストロボ用のキセノン管１１とモデリングランプ１２とを円筒面の一部に開口部１３ａを形成した円筒状のカバー１３内に収納したバーライト１０を光源部としている。」と記載され、刊行物５（ｃ２）に「その他のサブサイドライト７及びフットライト８は、図６にその断面形状を示すように、バーライト１０の開口部１３ａ側に乳白色の樹脂板からなるほぼ円筒状の拡散板１８を配設したものである。」と記載され、刊行物５に開示された発明の「カバー１３」、「キセノン管１１」、「拡散板１８」が、夫々本件発明３の「箱体」、「ストロボ照明装置」、「拡散板」に相当し、また、刊行物５（ｃ４）に「バーライトの開口部、キセノン管、モデリングランプをほぼ同一直線上に配設することにより、両光源が被写体を同一位置から照射することができ」と記載され、「カバー１３」の内面が反射機能を有することが推測できるから、上記限定事項が刊行物５に実質的に開示されている。 
 　また、刊行物６の（ｄ２）に「第１サイド光源１、２は、第１サイド光源室１１、１２の前方に設けられた断面略円弧状の反射板２５、２５’に光を反射させて、拡散板２６、２６’で光を拡散させて椅子１９に座っている人の上半身にサイド前方から光を当てるようにしてある。拡散板２６、２６’は第１サイド光源室１１、１２を仕切る仕切壁２７、２７’の開口部に取り付けられている。」と記載され、刊行物６に開示された発明の「第１サイド光源室１１、１２」、「第１サイド光源１、２」、「反射板２５、２５’」、「拡散板２６、２６’」が、夫々本件発明３の「箱体」、「ストロボ照明装置」、「反射板」、「拡散板」に相当するから、上記限定事項の大部分が刊行物５に実質的に開示されており、「第１サイド光源室１１、１２」をボックス体に形成するようなことは、設計的な事項に過ぎない。 
 　そして刊行物１と刊行物５、６とは、非常に近接した技術分野に属するものであるから、当業者であれば、刊行物５、６に開示された事項を刊行物１に適用することは容易であると言え、また、当該適用によって格別顕著な作用効果が生ずるものでもない。 
 　したがって、刊行物１、刊行物５、刊行物６及び従来周知技術に基づいて本件発明３を推考することは、当業者なら容易になし得たと認められる。 
［本件発明４について］
 　本件発明４は、本件発明３を「前記左右のストロボ照明ボックス体の照明光の一部が撮像領域で重合するように照明光の方向を設定した」と限定するものであるが、一般に、光源が複数あり、これらの光源が一つの被写体を照明する場合（例えば、刊行物４の撮影用の照明装置８、刊行物５のサイドライト６、７、刊行物６のサイド光源１、２、４〜７に、照光の一部が被写体、すなわち、撮像領域で重合するのは自明である。 
 　また、刊行物７（ｅ２）に「第４図は、第２、３図に示すストロボ発光部５による光照射面１８の照度分布１９を示している。図中、１７ａ、１７ｂは撮像装置３の光軸に対し対角位置にある固体発光素子であって、前記照度分布１９は各固体発光素子１７ａ、１７ｂによる照度分布２０ａ、２０ｂを合成した形となる。同図によれば、各固体発光素子１７ａ、１７ｂをある高さｈに位置させたときの照度分布１９は中央部分において平坦な形状、すなわち均一照明状態となっている。」と記載され、上記限定事項が刊行物７に開示されている。
　そして刊行物１と刊行物７とは、非常に近接した技術分野に属するものであるから、当業者であれば、刊行物７に開示された事項を刊行物１に適用することは容易であると言え、また、当該適用によって格別顕著な作用効果が生ずるものでもない。 
 　したがって、刊行物１、刊行物５乃至７及び従来周知技術に基づいて本件発明４を推考することは、当業者なら容易になし得たと認められる。 
　
４．まとめ
 　以上のとおりであるから、本件請求項１乃至４に係る発明の特許は、特許法第２９条第２項の規定に違反してなされたものであり、同法第１１３条第２号の規定に該当するから、その余の取消理由について判断するまでもなく、取り消されるべきものである。 
　よって、結論のとおり決定する。
【異議決定日】
平成１７年１１月１４日（２００５．１１．１４）
【訂正の要旨】
審決（決定）の【理由】欄参照。
（５４）【発明の名称】
写真シール自動販売方法および写真シール自動販売機
（５７）【特許請求の範囲】
　【請求項１】投入貨幣を処理する貨幣処理手段と、撮像や画像編集その他必要な操作を入力する入力手段と、被写体を連続して照明する連続照明手段と、プリント画像の撮像に同期して被写体をストロボ発光して照明するストロボ照明手段と、被写体を撮像するカメラと、撮像画像や編集画像その他必要事項を表示する表示手段と、撮像画像や編集画像の写真シールをプリントして放出するプリンタと、これら構成要素を制御する制御手段とを備え、
前記カメラの左右位置に前記ストロボ照明手段と連続照明手段との夫々を並設した状態で配置し、
前記貨幣処理手段への貨幣投入に基づいてプレイ操作を許容し、カメラの左右に配置した連続照明手段の照光によって前記表示手段に撮像ポーズを表示すると共に撮像ポーズの確認を可能とし、
連続照明手段とストロボ照明手段とで被写体を照光してカメラで撮像した後、前記表示手段に撮像画像を表示し、
撮像後前記表示手段に表示された画像に画像編集を許容し、
画像確定後プリンタで写真シールをプリントして放出する
写真シール自動販売方法。
　【請求項２】投入貨幣を処理する貨幣処理手段と、撮像や画像編集その他必要な操作を入力する入力手段と、被写体を連続して照明する連続照明手段と、プリント画像の撮像に同期して被写体をストロボ発光して照明するストロボ照明手段と、被写体を撮像するカメラと、撮像画像や画像編集その他必要事項を表示する表示手段と、撮像画像や編集画像の写真シールをプリントして放出するプリンタと、これら構成要素を制御する制御手段とを備え、
前記カメラの左右位置に前記ストロボ照明手段と連続照明手段との夫々を並設した状態で配置し、
前記貨幣処理手段への貨幣投入に基づいてプレイ操作を許容し、カメラの左右に配置した連続照明手段の照光によって前記表示手段に撮像ポーズを表示すると共に撮像ポーズの確認を可能とし、
連続照明手段とストロボ照明手段とで被写体を照光してカメラで撮像した後、前記表示手段に撮像画像を表示し、
撮像後前記表示手段に表示された画像に画像編集を許容し、
画像確定後プリンタで写真シールをプリントして放出すべく前記制御手段を設定した
写真シール自動販売機。
　【請求項３】前記ストロボ照明手段を、縦長のボックス状の箱体内に収納したストロボ照明装置と、該装置のストロボ発光を撮像領域側に反射する反射板と、ストロボ発光を撮像領域側に拡散する拡散板とで撮像領域側を照明する縦長のストロボ照明ボックス体に形成した
請求項１または２に記載の写真シール自動販売方法または写真シール自動販売機。
　【請求項４】前記左右のストロボ照明ボックス体の照明光の一部が撮像領域で重合するように照明光の方向を設定した
請求項３に記載の写真シール自動販売方法または写真シール自動販売機。
【発明の詳細な説明】
　【０００１】
　【発明が属する技術分野】
　この発明は、例えば、娯楽施設（例えば、ゲームセンタ）において、デジタルカメラで撮像した画像をカラープリンタでシール紙出力するような写真シール自動販売方法および写真シール自動販売機に関する。
　【０００２】
　【従来の技術】
　従来、上述例の娯楽施設（例えば、ゲームセンタ）に備えられた写真シール自動販売機は、デジタルカメラで被写体を撮像するときに使用する照明手段に蛍光灯や白熱灯を使用していた。これは被写体の画像をモニタ（ディスプレイ）に表示しながら被写体であるプレイヤ（利用者）が撮像ポーズを思案し、この後撮像するために、撮像までの間連続照明が必要であるためであり、撮像時の照明手段はこの蛍光灯や白熱灯だけであった。
　【０００３】
　そのために、デジタルカメラでの撮像照明には十分な光量が得られず、デジタルカメラの性能を十分に引き出すことができない問題点を有し、また、プリントになる画像の明るさを補正するにはソフトウエア処理で行なう必要があるが、この処理の操作をプレイアが行なうと不慣れ故に、最高の照明状態に円滑にできないという問題点を有している。
　【０００４】
　また、上述のように、プリントしたシールの画像の明るさをソフトウエア処理で調整し得たとしても、撮像ポーズの確認時のイメージと、実際に撮像してプリントしたシールのイメージとが極端に変わるという問題点があり、撮像ポーズの確認時にも実際のシールとして出来上がる明度の照明状態が得られることが要望される。
　【０００５】
　また、単に撮像時にストロボ照明装置によりストロボ発光を使用する場合、撮像前にプレイヤ（利用者）が撮像ポーズを思案する時に充分な光量の照明がないので、ポーズの確認が取りにくい問題点がある。
　【０００６】
　さらにまた、複数人での撮影を可能にするためには、複数人がそれぞれポーズを取ることができる撮像スペースとカメラの視野、および領域に対して良好な光学条件を提供する光源が必要である。しかし、複数人で撮影するときに、特にピースなどのように何人かが指や腕をカメラに向かって突き出したとき、その指や腕の陰が他人の顔にかかることがあり、また被写体間の位置関係次第では、一方の被写体の陰が他方の被写体の顔にかかって陰を作ることもあるので、これらの陰を無くすような照明が要望される。
　【０００７】
　【発明が解決しようとする課題】
　この発明は、複数人がポーズを取ることができる撮像スペースとカメラの視野、および領域に対して均一で十分な光学条件を提供して、品質の良好な写真シールを提供するすることが可能なうえ、さらに、上述の光学条件を小型コンパクトな構成で提供することができ、撮像ポーズの確認時のイメージと、実際に撮像しプリントして出来上がった写真シールのイメージとを一致させることが容易にできる、写真シール自動販売方法および写真シール自動販売機の提供を目的とする。
　【０００８】
　【課題を解決するための手段】
　この発明は、投入貨幣を処理する貨幣処理手段と、撮像や画像編集その他必要な操作を入力する入力手段と、被写体を連続して照明する連続照明手段と、プリント画像の撮像に同期して被写体をストロボ発光して照明するストロボ照明手段と、被写体を撮像するカメラと、撮像画像や編集画像その他必要事項を表示する表示手段と、撮像画像や編集画像の写真シールをプリントして放出するプリンタと、これら構成要素を制御する制御手段とを備え、前記カメラの左右位置に前記ストロボ照明手段と連続照明手段との夫々並設して配置し、前記貨幣処理手段への貨幣投入に基づいてプレイ操作を許容し、カメラの左右に配置した連続照明手段の照光によって前記表示手段に撮像ポーズを表示すると共に撮像ポーズの確認を可能とし、連続照明手段とストロボ照明手段とで被写体を照光しカメラで撮像した後、前記表示手段に撮像画像を表示し、撮影後前記表示手段に表示された画像に画像編集を許容し、画像確定後プリンタで写真シールをプリントして放出する写真シール自動販売方法またはその自動販売機であることを特徴とする。
　【０００９】
　上記の構成によれば、カメラの左右の位置に、ストロボ照明手段と連続照明手段の夫々を並設した状態で配置したので、これらの照明手段のしかも左右からの照明による十分な光量によって被写体であるプレイヤ（利用者）の撮像ポーズを照射して撮像し写真シールをプリントアウトして販売することができる。
　【００１０】
　さらに、ストロボ照明手段と連続照明手段の夫々を相互が並設した状態でカメラの左右に配置されているので、プレイヤが撮像ポーズの確認をとるときの連続照明手段の照明方向と、プリント画像を撮像するときのストロボ照明手段の照明方向とがほぼ同じ方向になり、このため撮像前に確認した撮像ポーズと出来上がった写真シールとのイメージが殆ど齟齬のない状態にすることができる。
　【００１１】
　前記連続照明手段は、通常の蛍光灯や白熱灯などの常時点灯する照明器具を含み、縦長に形成することができる。
　【００１２】
　前記カメラは、デジタルカメラ、デジタルビデオカメラ等が含まれる。
　【００１３】
　前記プリンタは、モノトーンプリンタ、カラープリンタも含まれる。
　【００１４】
　この発明の一実施形態として、前記ストロボ照明手段を、縦長のボックス状の箱体内に収納したストロボ照明装置と、該装置のストロボ発光を撮像領域側に反射する反射板と、ストロボ発光を撮像領域側に拡散する拡散板とで撮像領域側を照明する縦長のストロボ照明ボックス体に形成することができる。
　【００１５】
　前記ストロボ照明ボックス体の拡散板は複数枚設けることも含まれる。
　【００１６】
　さらに、前記左右のストロボ照明ボックス体の照明光の一部が撮像領域で重合するように照明光の方向を設定することができる。
　【００１７】
　この発明は、写真シール自動販売方法、またはその自動販売機のプリンタでプリントする、またはプリントした写真シール自動販売用写真シールであることを特徴とする。
　【００１８】
　この発明の以上説明した構成要素は可能な限り組合わせることができる。
　【００１９】
　【発明の作用・効果】
　この発明によれば、カメラの左右の位置に、ストロボ照明手段と連続照明手段を夫々並設した状態で配置したので、被写体であるプレイヤ（利用者）が撮像ポーズをいろいろと思案している間中、連続照明手段の左右方向からの照明による十分な光量によって表示手段には鮮明な画像を表示することができ、また、撮像時には連続照明手段に加えてほぼ同方向からのストロボ照明手段で照射して撮像し、写真シールをプリントアウトして販売するので、出来上がった写真シールは充分な光量で鮮明な画像が得られ、品質の良好な写真シールを提供することができる。
　【００２０】
　【００２１】
　【００２２】
　さらに、プリント画像（写真シールにするための画像）の撮像に同期して被写体を照明するストロボ照明手段を、ストロボ照明装置と、反射板と、拡散板とによる特徴的な縦長のストロボ照明ボックス体に形成しているので、十分な光量で均一な光線を作り出すことができ、一般にスタジオで使用される傘状の反射手段と比較すると、大幅に小型化ができ、これに伴い写真シール自動販売機もコンパクトになり、ローコスト化が可能となる。併せて、設置面積もより小さくなるため、設置場所の制約が減少される。
　【００２３】
　さらに、前述のようにストロボ照明ボックス体が十分な光量で均一な光線を作り出すので、複数人が撮像ポーズを取ることができる撮像スペースとカメラの視野、および領域に対して均一で十分な光量の光学条件を提供するすることができ、複数人相互間の影の影響が少なくなり、高品質の写真シールを提供することができる。
　【００２４】
　【発明の実施の形態】
　この発明の一実施態様を図面と共に説明する。
　【００２５】
　図面は、例えば、娯楽施設（例えば、ゲームセンタ）において設置されるような写真シール自動販売機を示し、図１、図２、図３において、該写真シール自動販売機１０は、幅方向での中央の上部と中間部との位置に２台のデジタルカメラ１１ａ，１１ｂを載置しており、上部のデイジタルカメラ１１ａは上半身又は顔面用の撮像に使用し、中間部のデイジタルカメラ１１ｂは全身用の撮像に使用される。
　【００２６】
　写真シール自動販売機１０の上下方向の中間位置の斜面パネルの中央部分で前記デジタルカメラ１１ｂの直下位置の傾斜パネルには陰極管からなるディスプレイ１２を傾斜状に配設し、該ディスプレイ１２は撮像画像の表示の他、操作手順の表示、撮像画像に重ねる落書き等の編集画像の表示などを行うと共に、その表面にはタッチパネルによる入力装置を重ね合わせて、画像の表示に対応して入力操作が可能に設けている。
　【００２７】
　さらに、ディスプレイ１２の下部のパネル部分には料金（硬貨）を投入する貨幣投入口１３と写真シールを放出する写真シール放出口１４を配設し、また、貨幣投入口１３の下部の垂直パネル部分には貨幣の返却口１５を配設している。
　【００２８】
　上述のデジタルカメラ１１（１１ａ，１１ｂ）の左右の位置には、該カメラ１１によるプリント画像の撮像に同期して被写体を照明する照明手段として縦長のストロボ照明ボックス体１７（１７ａ，１７ｂ）と、さらに、この外側に常時連続して被写体を照明する補助照明手段としての蛍光灯又は白熱灯１６，１６を近接した状態で並設し、さらに、カメラ１１の前方の撮像領域Ａの上部であって、その左右の位置に、被写体を上方から照明する補助照明手段としての蛍光灯１８，１８を配設している。なお、この上部の蛍光灯１８，１８は撮像領域Ａを形成するためのフレーム１９に取付けている。
　【００２９】
　図４、図５は、前述のストロボ照明ボックス体１７のうちの１７ａを示し、ボックス状の箱体２１の内部でその底部にはストロボ光を発光するストロボ照明装置２２を収納して、適宜の取り付け手段を介して固定している。
　【００３０】
　上述のストロボ照明装置２２のストロボ球２２ａは内側（奥側）に第１の傾斜角α（例えば約角３０度）の角度で、さらに、内側（デジタルカメラ１１の存在する側）に第２の傾斜角β（例えば約５度）の角度で発光方向を傾斜して取り付けてられ、その上部にはストロボ光を拡散する第１の拡散板２３を配置し、適宜の取り付け手段を介して固定している。
　【００３１】
　上述のストロボ照明装置２２の上部の奥には垂直な第１の反射板２４ａ、その上部に若干前方に上部が傾斜した第２の反射板２４ｂ、さらに、その上部に上部がさらに前方に傾斜した第３の反射板２４ｃを設けている。なお、これらの反射板２４は平面板の板状体であって、反射面を順次傾斜して形成したがであるが、他の手段として、１枚の板（合成樹脂板）を曲線状に湾曲して設けることもできる。
　【００３２】
　上述の反射板２４（２４ａ，２４ｂ，２４ｃ）の反射面、および箱体２１の内壁（ことに側壁）２５は白色の塗装により反射面を形成している。しかし、この反射面は銀色（銀幕）の塗装であるもよい。
　【００３３】
　前述の箱体２１の前面、すなわち、上述の反射板２４の前面には反射板からのストロボ光の反射光を均一に拡散する縦長の第２の拡散板２６を配置して箱体２１に適宜の取り付け手段を介して固定している。
　【００３４】
　このように構成したストロボ照明ボックス体１７ａはその照明方向を撮像領域Ａの中心側に向かうようになる。また、他方のストロボ照明ボックス体１７ｂに収納されるストロボ照明装置２２の発光方向（第２の傾斜角β）がデジタルカメラ１１を中心として対称に配設されるので、その結果、図６に示すように、左右のストロボ照明ボックス体１７ａ，１７ｂの照明方向は撮像領域Ａの中心部に向けられ、それぞれの照明が撮像領域Ａの中心部で重合して、被写体に対して左右から均一で十分な光量で照明することができる。
　【００３５】
　なお、前述のストロボ照明ボックス体１７において、ストロボ照明装置２２を下部（底部）に配設することにより、第２の拡散板２６との距離が十分に得られるので、均一な光量が得られる。
　【００３６】
　図７は、ストロボ照明ボックス体１７の他の例を示し（機能が同一の要素には同じ符号を付す）、この例では、ストロボ照明装置２２のストロボ球２２ａを箱体２１の上下方向の中心部に配設し、該装置２２の上下にそれぞれ反射板２４ａ，２４ｂ，２４ｃを配置して略曲面を形成し、ストロボ球２２ａの前面の拡散板２６の背面に、該ストロボ球２２ａのストロボ光が強い範囲に対応させた大きさの反射板２４ｄを取り付け（例えば、接着）、該反射板２４ｄは銀色塗装にしてストロボ球２２ａの強い光をこれで乱反射させて、第２の拡散板２６の光の拡散作用を均一にするように設けている。このようにストロボ照明ボックス体１７を構成するもよい。
　【００３７】
　図８は、写真シール自動販売機１０の制御回路を示し、制御装置３０は、例えば、演算処理や制御処理を行うＣＰＵ、プログラムを格納するＲＯＭ、動作に必要なデータを記憶するＲＡＭ等で構成して、各回路装置を駆動制御する。
　【００３８】
　ストロボ照明装置２２は、前述のストロボ球２２ａをストロボ起動信号の入力に基づいて点灯する。
　【００３９】
　デジタルカメラ１１は、前述の上半身又は顔面用１１ａと全身用１１ｂであって、プレイヤが指定した方のカメラに対して撮像動作を行い。対応するカメラにシャッタ信号が入力されると撮像（撮影）して、その撮像した画像信号（撮像データ）を出力する。
　【００４０】
　ディスプレイ１２は、撮像画像の表示の他、操作手順の表示、撮像画像に重ねる落書き等の編集画像の表示などを行う。
　【００４１】
　入力装置３１は、タッチパネルで構成して上述のディスプレイ１２に重合配置し、画像の表示に対応してプレイヤが入力操作を行う。なお、入力装置はキーボードで構成することもできる。
　【００４２】
　プリンタ３２は、確定した撮像画像、あるいは、編集された撮像画像をカラープリントで写真シールをプリントして放出する。
　【００４３】
　貨幣処理装置３３は、前述の貨幣投入口１３および返却口１５と接続されていて、投入された貨幣の真偽および金種を判定してその処理信号を出力し、制御装置３０では、処理信号に基づいて投入金額が所定の料金であるとき操作を許容し、また、釣銭や返却貨幣がある時はこれらを返却口１５に放出する。なお、貨幣は硬貨の他、紙幣を取扱うこともできる。
　【００４４】
　前述の制御装置３０には明るさ調整機能３４と、ストロボ寿命検知機能３５とを備えている。
　【００４５】
　上述の明るさ調整機能３４は、デジタルカメラ１１が撮像した画像の全体の明るさを変更して出力する機能であり、この明るさの変更にはプレイヤが指示入力して変更する機能と、制御装置３０側で自動的に変更して調整する機能とを備え、さらに、自動調整では、プレイヤがポーズを確認してる時の蛍光灯１６，１８による照明時（ストロボ照明より暗い状態）にディプレイ１２には写真シールをプリントアウトするときの明るさに調整する機能と、ストロボ発光時に該光量を調整する機能とを有する。
　【００４６】
　上述の明るさの変更は、例えば、ＲＧＢ値（光りの３原色の値）が２５６階調で管理されている画像に対して、元画像の階調値を増減して変更する処理であって、例えば、元画像＋１０階調値とするような変更調整であり、プレイヤが明るさを指示して変更する場合は、この階調値に対応する入力であり、また、明るさ指示値が任意の段階で設定される場合には、段階値に応じた明るさ調整パラメータを予め設定しておき、この調整パラメータを元に変更することができる。
　【００４７】
　明るさを自動変更する場合、標準（例えば、プリントアウトするときの明るさ）となる階調値を設定し、この標準階調値と撮像した画像（ポーズの確認時の画像と、プリントアウト時の画像）の階調値とを比較して、標準階調値に対する撮像画像の階調値の過不足を増減して調整する。なお、プリントアウトの撮像画像の階調値が低下する原因の１つにはストロボ球２２ａの光量不足があるので、撮像画像の明るさを階調値で監視することにより、ストロボ球２２ａの寿命を監視することができる。なお、前述の調整パラメータや上述の基準階調値は制御装置３０に内蔵の記憶部（例えばＲＡＭ）に記憶することができ、また、後述の外部記憶装置３６に記憶することもできる。
　【００４８】
　前述のストロボ寿命検知機能３５は、ストロボ照明装置２２のストロボ球２２ａの光量不足で機能が低下して写真シールの所定の品質（例えば、設定した高品質）が保持できない状態をその寿命として検知して検知信号を出力する機能であり、この寿命の検知には、ストロボ球２２ａの寿命と判定される発光回数を発光累積回数で検知する方法と、ストロボ球２２ａの寿命と判定される光量を設定し、この設定光量と撮像時の発光光量とを比較して検知する方法と、前述した撮像画像の全体の明るさのＲＧＢ値の階調で検知する方法とがあり、この実施例では、発光累積回数で検知する方法を示している。
　【００４９】
　すなわち、ストロボ寿命検知機能３５にはストロボ発光回数を計数するカウンタ機能を有し、該カウンタ機能は制御装置３０が出力するシャッタ信号に基づいてストロボ発光回数を計数し、この計数したストロボ発光回数の累積値を外部記憶装置３６の所定のエリア（記憶部）に記憶する。
　【００５０】
　上述の外部記憶装３６には、ストロボ球２２ａの発光が寿命と判定する発光回数のストロボ寿命回数と、このストロボ寿命回数に到達する前であって、ストロボ球２２ａの寿命が近付いてきてその交換を警告するために設定したストロボ交換警告回数とを所定のエリア（記憶部）に記憶している。
　【００５１】
　前述のストロボ寿命検知機能３５は、累積ストロボ発光回数と、ストロボ交換警告回数とを比較して、累積ストロボ発光回数がストロボ交換警告回数に達した時は、ストロボ交換警告信号を出力し、また、上述の累積ストロボ発光回数がストロボ寿命回数に達した時は、プレイ続行不可能信号を出力する。これらの出力信号は制御装置３０がストロボ交換警告、あるいは、ストロボ寿命をディスプレイ１２に表示制御したり、また、これらの交換警告や寿命をディスプレイ１２に表示すると共に、入力装置３１によるプレイ操作の禁止などの処理を実行することになる。
　【００５２】
　上述のように構成した写真シール自動販売機１０の制御装置３０が実行する写真シール放出処理の動作を図９のフローチャートを参照して説明する。
　【００５３】
　プレイヤが貨幣投入口１３に所定の料金を投入すると、貨幣処理装置３３からの処理信号に基づいて適性料金かを判定し、料金の適性を判定すると、入力装置３１によるプレイ操作を許容する（ステップｎ１）。
　【００５４】
　プレイヤが、上半身、または顔面、あるいは全身の撮影モードを選択すると（ステップｎ２）、次ぎに、プレーヤは撮像領域Ａでポーズを確認する（ステップｎ３）。
　【００５５】
　このポーズ確認では、照明が前面の蛍光灯１６，１６と、上部の蛍光灯１８，１８であるため、プリントアウト時のストロボ発光とは明かるさにおいて暗いので、明るさ調整機能３４が動作して、ディスプレイ１２にはプリントアウト時と等価な明るさで画像を表示する。そのため、プレイヤはプリントアウトのイメージでポーズを確認することができる。
　【００５６】
　ポーズの確定が終了すると、シール撮像のためにプレイヤはシャッタ信号を出力するための操作を入力装置３１に行なう。
　【００５７】
　前述の撮影モードの選択および上述のシャッタ信号の入力により、選択に対応したデジタルカメラ１１ａ，１１ｂの起動を決定して、該決定したデジタルカメラ１１にシャッタ信号を出力する。
　【００５８】
　デジタルカメラ１１はシャッタ信号に基づいてカメラのシャッタを駆動すると共に、ストロボ起動信号をストロボ照明装置２２に出力し、該装置２２はストロボ球２２ａをシャッタ信号と同期して発光させる（ステップｎ４）。
　【００５９】
　上述のシャッタ信号と同期したデジタルカメラ１１の画像信号（画像データ）が制御装置３０に入力されると、該画像信号はディスプレイ１２に出力されて撮像画像が表示される。同時に、撮像した画像全体の明るさを後述する動作でチェックし（ステップｎ５）、さらに、ストロボ球２２ａの寿命を後述の動作でチェックする（ステップｎ６）。
　【００６０】
　ついで、プレイヤはこの表示された画像に対して図形、文字など希望する落書きをタッチパネルである入力装置３１から入力する。同時に、撮像画面全体の明るさ（階調）の変更が入力されたときは、この明るさ変更に対応した画像を表示する（ステップｎ７）。
　【００６１】
　プレイヤが画像を確定して入力装置３１からこの確定を入力すると（ステップｎ８）、プリンタ３２を起動させて写真シールをプリントアウトして、これを写真シール放出口１４に放出し、処理を終了する（ステップｎ９）。
　【００６２】
　前述のステップｎ５の画像の明るさのチェックは次ぎのように実行される。
　図１０に示すように、デジタルカメラ１１で撮像された画像が明るさ調整機構３４に取り込まれると、該元画像の階調を解析し、この階調と外部記憶装置３６（または内蔵のＲＡＭ）に記憶された標準階調値とを比較して、標準階調値に対する元画像の階調値の過不足を判定し、判定した過不足量を増減調整して、調整後の画像を出力する。この調整処理は、プレイヤがポーズを確認するときの蛍光灯１６，１８の照明下においても同様に行なわれる。
　【００６３】
　なお、上述の増減データを保存し、この累積保存データから元画像を明るく補正する状況を監視することにより、ストロボ球２２ａの光量低下を監視することもできる。
　【００６４】
　前述のステップｎ７の落書き挿入時において、プレイヤが画像全体の明るさの変更を設定したときは、次ぎのように、変更処理を実行する。
　【００６５】
　図１１に示すように、外部記憶装置３６（または内蔵のＲＡＭ）には予め段階値に応じた階調の調整パラメータを記憶しておき、プレイヤが明るさを変更する段階の指示値を入力装置３１から入力すると、この指示値に対応する明るさ調整パラメータを読出し、これを元にして階調を変更して、変更後の画像を出力する。
　【００６６】
　前述のステップｎ６のストロボの寿命のチェックは次ぎのように実行される。すなわち、図１２に示すように、外部記憶装置３６の所定のエリア３６ｂには、ストロボ球２２ａの発光回数を計数したストロボ発光回数の累積値を記憶しており、さらに、所定のエリア３６ａには、ストロボ球２２ａの寿命と判定するストロボ寿命：回数と、ストロボ球２２ａの寿命が近付いてその交換を警告するために設定したストロボ交換警告回数とを記憶している。
　【００６７】
　図１３に示すように、上述の累積ストロボ発光回数（累積値）と、ストロボ寿命回数（寿命値）とを比較して、累積ストロボ発光回数（累積値）がストロボ寿命回数（寿命値）を上回ると、光量不足で高品質の写真シールの発行維持ができないと判定して、プレイ続行不可能信号を出力し、プリントの確定の入力を受理しない（禁止）ようにして、ディスプレイ１２に、プレイ続行不可能の情報、例えば、「ストロボを交換して下さい。ストロボ交換後にプレイ再開可能です。」の表示を行う。この表示によりプレイヤは係員に通達してストロボ球２２ａを交換してもらい、係員が入力装置３１からストロボ交換の完了を入力すると、この入力に基づいて記憶している累積ストロボ発光回数（累積値）はリセットされ、スタートにリターンしてプレイの再開が許容される（ステップｎ１１，ｎ１２，ｎ１３）。
　【００６８】
　また、上述の比較判定で、累積ストロボ発光回数（累積値）がストロボ寿命回数（寿命値）に達していない時は、つづいて、累積ストロボ発光回数（累積値）がストロボ交換警告回数（警告値）に達したか否かを判定し（ステップｎ１４）ストロボ交換警告回数（警告値）に達した時は、ストロボ交換警告信号を出力し、交換用のストロボを予め準備させる目的で、ディスプレイ１２に、ストロボ交換準備の情報、例えば「ストロボが寿命に近付いています。交換用のストロボを準備して下さい。」の表示を行う。この表示によりプレイヤは係員に交換用ストロボの準備を通達する（ステップｎ１４，ｎ１５）。
　【００６９】
　上述のストロボ交換準備の情報は、ストロボの発光回数がストロボ寿命回数（寿命値）に達するまで、プレイヤがプレイの都度毎に表示されるので、この情報の表示中にストロボを交換することも可能である。
　【００７０】
　もし、ストロボ球２２ａの交換がないときは、ストロボ発光回数を加算して次ぎのステップｎ７に移行する（ステップｎ１６，ｎ１７）。
　【００７１】
　前述のストロボ交換準備の情報を表示している時に、ストロボ球２２ａが交換され、係員が入力装置３１からストロボ交換の完了を入力すると、この入力に基づいて記憶部３６ｂに記憶している累積ストロボ発光回数（累積値）はリセットされ（ステップｎ１８）、次ぎのステップｎ７に移行する。
　【００７２】
　このようにしてストロボ照明装置２２のストロボ球２２ａの寿命が検知されるので、その光量が低下して光量不足の照明のまま写真シールを発行することがなくなり、長期に渡って品質の良い写真シールを提供することができる。
　【００７３】
　なお、ストロボ球２２ａの寿命や、交換警告をディスプレイ１２に表示して報知しているが、例えば、係員にモニタや、ランプで直接報知するように構成してもよい。
　【００７４】
　図１４は、ストロボ照明装置２２を起動するための他の例を示し、デジタルカメラ１１には内蔵ストロボ４１を備え、また、ストロボ発光装置２２側には内蔵ストロボ４１の発光を受光してストロボ照明装置２２にストロボ起動信号を出力する受光センサ４２を備え、制御装置３０からのシャッタ信号で該内蔵ストロボ４１が発光すると、この発光を受光センサ４２が受光してストロボ照明装置２２を起動してストロボ球２２ａを発光する。
　【００７５】
　このようにしてストロボ照明装置２２の起動を行うこともできる。
　【００７６】
　図１５は、前述の図９のステップｎ６のストロボの寿命のチェックの他の例を示し、この実施例では、ストロボ球２２ａの寿命と判定される光量を設定し、この設定光量と撮像時の発光光量とを比較して検知する方法を示している。
　【００７７】
　この例では、ストロボ球２２ａの発光光量を検知する受光センサ４３を設けて、この受光で検知したストロボ球２２ａの電流値の信号をストロボ寿命検知機能３５に出力するように設けている。
　【００７８】
　図１６にも示すように、上述のストロボ寿命検知機能３５には電流値の比較判定機能を備え、また、外部記憶装置３６の所定のエリア３６ｃには、ストロボ球２２ａの寿命と判定する電流値（寿命値）と、ストロボ球２２ａの交換を警告する電流値（警告値）とを記憶している。
　【００７９】
　図１７に示すように、ストロボ寿命検知機能３５は、受光センサ４３で検知したストロボ球２２ａの電流値（センサ値）の信号と、ストロボ球２２ａの寿命と判定する電流値（寿命値）とを比較判定し、センサ値が寿命値より下回ると（ステップｎ２１）、光量不足で高品質の写真シールの発行維持ができないと判定して、プレイ続行不可能信号を出力し、プリントの確定の入力を受理しない（禁止）ようにして、ディスプレイ１２にプレイ続行不可能の情報を表示し（ステップｎ２２）、例えば、「ストロボを交換して下さい。ストロボ交換後にプレイ再開可能です。」の表示を行う。この表示によりプレイヤは係員に通達してストロボ２２ａを交換してもらい、係員が入力装置３１からストロボ交換の完了を入力すると（ステップｎ２３）、スタートにリターンしてプレイの再開が許容される。
　【００８０】
　前述のステップｎ２１の受光センサ４３で検知したストロボ球２２ａの電流値（センサ値）の信号と、ストロボ球２２ａの寿命と判定する電流値（寿命値）との比較判定で、センサ値が寿命値より上回っているときは、今回の撮像は可能と判断して、次ぎに、上述のセンサ値とストロボ球２２ａの交換を警告する電流値（警告値）とを比較判定し（ステップｎ２４）、センサ値が警告値より下回ると、ストロボ交換警告信号を出力し、交換用のストロボを予め準備させる目的で、ディスプレイ１２に、ストロボ交換準備の情報を表示し（ステップｎ２５）、例えば「ストロボが寿命に近付いています。交換用のストロボを準備して下さい。」の表示を行う。この表示によりプレイヤは係員に交換用ストロボの準備を通達する（ステップｎ１４，ｎ１５）。
　【００８１】
　このように、ストロボの発光光量を検知して、その寿命をチェックすることができる。
　【００８２】
　この発明の構成と、上述の実施例との対応において、
　貨幣処理手段は、貨幣処理装置３３に対応し、
　以下同様に、
　入力手段は、入力装置３１に対応し、
　連続照明手段は、蛍光灯、白熱灯１６に対応し、
　ストロボ照明手段は、ストロボ照明ボックス体１７，１７ａ，１７ｂに対応し、
　カメラは、デジタルカメラ１１ａ，１１ｂ、デジタルビデオカメラに対応し、
　表示手段は、ディスプレイ１２に対応し、
　制御手段は、制御装置３０に対応するも、この発明は、実施例の構成に限定されるものではなく、多くの実施態様を得るえることができる。
【図面の簡単な説明】
　【図１】
　写真シール自動販売機の斜視図
　【図２】
　写真シール自動販売機の正面図。
　【図３】
　写真シール自動販売機の一部断面側面図。
　【図４】
　ストロボ照明ボックスの断面側面図。
　【図５】
　ストロボ照明ボックスの一部断面正面図。
　【図６】
　ストロボ照明ボックスの照明状態を示す平面説明図。
　【図７】
　ストロボ照明ボックスの他の例を示す断面側面図。
　【図８】
　写真シール自動販売機の制御回路ブロック図。
　【図９】
　写真シールの放出処理を示すフローチャート。
　【図１０】
　明るさ調整機能の自動処理のブロック説明図。
　【図１１】
　明るさ調整機能の明るさ指定による処理のブロック説明図。
　【図１２】
　ストロボ寿命検知機能の処理のブロック説明図。
　【図１３】
　ストロボ寿命チェックの処理を示すフローチャート。
　【図１４】
　ストロボ照明装置の他の起動例を示す部分制御回路ブロック図。
　【図１５】
　ストロボ寿命チェックの他の例を示す部分制御回路ブロック図。
　【図１６】
　図１５のストロボ寿命チェック処理のブロック説明図。
　【図１７】
　図１５のストロボ寿命チェック処理を示すフローチャート。
　【符号の説明】
　１０…写真シール自動販売機
　１１…デジタルカメラ
　１２…ディスプレイ
　１６，１８…蛍光灯
　１７…ストロボ照明ボックス
　２１…箱体
　２２…ストロボ照明装置
　２２ａ…ストロボ球
　２３，２６…拡散板
　３０…制御装置
　３１…入力装置
　３２…プリンタ
　３３…貨幣処理装置
　３４…明るさ調整機能
　３５…ストロボ寿命検知機能
　３６…外部記憶装置